(57)【要約】本考案は生花又は草花の何れにも対応できるように、花器とその内側に収納する植木鉢の組合せからなる二重槽容器である。【解決手段】本考案は花器１と、その内側に収納する植木鉢２を組合せ、或いは取外して各々単独に使用すると共に、植木鉢の内側下部には排水用の穴４の開いた鉢底３と脚５を設け、植木鉢の外周壁には円環状に空隙用突起９を設けて花器の内周壁との間に空隙１０を形成して換気口としての機能を有し、生花又は草花共々鑑賞可能な二重槽容器からなる植木鉢である。【選択図】図１
0003133730.tif 000002
【実用新案登録請求の範囲】
【考案の詳細な説明】
【技術分野】
【技術分野】
【０００１】  本考案は、二重槽容器からなる植木鉢と花器の組合せに関するものである。
【背景技術】
【０００２】  従来の植木鉢の中には、水漏れしないように鉢底の排水用の穴を塞ぎ、鉢底に溜まった水の蒸発と根腐れ防止用に、鉢の内部に通気用の筒等を設けたものが開発されている。又、花器等の容器の形状は様々だが、耐水性のある陶磁器、ガラス、合成樹脂等の材質を用いて、水漏れしないようになっている。
例えば、実開昭６０−４１１５１号（以下、イ号公報という。）には、容器の内側に通気筒を設け、その下部は斜状に切断され、容器下部の受水槽に通じ、受水槽内の空気及び水蒸気等を外部に排出する植物栽培用容器が開示されている。
又、実開昭６２−３０５４８号（以下、ロ号公報という。）には、植木鉢本体に、通気孔を設けた中空筒状部を設置し、排水並びに通気を良好ならしめる植木鉢が開示されている。
又、実開昭５９−１３９０４７号（以下、ハ号公報という。）には、鉢本体を透明にし、鉢底の排水用の底穴を無くし、鉢本体内には上げ底を載置し、鉢の上口と上げ底板の下方の空室とを透明なパイプで連通して、空気や水の交換を容易にでき、常に鉢内の最高水位線が分かる底穴なし透明植木鉢が開示されている。
又、実開昭６１−１５２２４９号（以下、ニ号公報という。）には、合成樹脂等でできた植木鉢内に、空気流通穴を形成した内筒を設け、空気を鉢本体内に流通できるようにした植木鉢が開示されている。
【考案の開示】
【考案が解決しようとする課題】
【０００３】    屋内等で使用する植木鉢は、花のある時期は活躍の場が与えられているが、花の無い時期は目障りになるので屋外に放置され、やがて時を経て廃棄されるものが少なくない。また、生花等が少ない時期に、植木鉢代わりに花器等に花を植えようとしても、鉢底に溜まる水で根腐れすることを心配して植えられない。反対に、植木鉢に生花を挿そうにも上手に挿すことが出来ない。更に、排水用の穴を塞いだ水漏れしない植木鉢に水をかけても、鉢の中の水位が確認できない為水加減が分からない。それらの問題解決の一つの手段として、植木鉢と花器の両方の機能を併せ持ち、しかも容器内の水位を確認しながら水の管理が出来て、季節や好みに応じて生花や草花を観賞出来ることが求められる。
しかしながら上記の従来の植木鉢においては、次のような問題点がある。
イ号の公報においては、受水槽内の空気並びに水蒸気等を外部に排出する為の通気筒を設け、更に中間に中敷板が着脱自在に裁置できるようになっているが、花器として併用するには通気筒に景観上の違和感を覚えると共に、鉢底の水槽の水位を確認するのが難しい等々の問題点を有していた。
ロ号の公報においては、植木鉢本体に排水と通気用として通孔のある中空筒状体を設けてあるが、これを花器等の容器に転用する場合に、容器の型による中空筒状体等の設置の制限があると共に、上部口が大きい容器では生花を活ける際に花がばらけると共に何れか一方に偏ってしまう等の問題点を有していた。
ハ号の公報においては，これを花器等に転用して生花等を挿した場合に、透明ないしは多少薄い色のついた容器にあって、容器内の花の茎等が透けて見えてしまうという景観上の問題点を有していた。
二号の公報においては、灌水時の対策の不備、空気流通穴の材質と口径、並びに穴の中に培養土や石等が入って目詰まりしやすく、その除去処理等にも問題点を有していた。
【課題を解決するための手段】
【０００４】  請求項１に記載の、花器とその内側に収納できるように形成された植木鉢の容器からなり、植木鉢の外周壁に円環状に突起を設け、植木鉢の内側下部には鉢穴の開いた鉢底と脚を設けていることを特徴とする二重槽容器からなる植木鉢。
請求項２に記載の、植木鉢の内側下部に、脱着可能な鉢穴の開いた鉢底用敷板と片面に棘のある鉢底用棘付敷板を設けると共に、敷板載置用の台座を設けていることを特徴とする請求項１に記載の二重槽容器からなる植木鉢。
請求項３に記載の、植木鉢の上端部を、花器の上端部に被せて折り曲げ、折り曲げ部の裏側に支保用仕切壁と併せて換気口を設けていることを特徴とする請求項１又は請求項２に記載の二重槽容器からなる植木鉢。
請求項４に記載の、植木鉢において、棒状の浮きと浮き制御用器具を設け、浮き制御用器具は浮きを収納する輪と引っ掛け用の鈎を設けて連結したものからなり、花器と植木鉢の間に収納出来る形状を有していることを特徴とする請求項１又は請求項２又は請求項３に記載の二重槽容器からなる植木鉢。
【考案の効果】
【０００５】  上述する様に空隙用突起を設けて換気機能を有する本考案の二重層容器からなる植木鉢は、花器と組合せて使うことは勿論、コーヒーカップ、湯のみ茶わん、急須、鍋、置物等の水漏れしない容器と組合せることでバラエティにとんだ組合せが展開できると共に、用途に応じて各々単独に使えて、しかも、簡単に切り替えができる。又、口径の大きい花器等との組合せにおいては、鉢底用敷板と鉢底用棘付敷板を設けたことで植木鉢と花器の何れにも併用して使うことが出来ると共に、鉢底用敷板を植木鉢の鉢底に、鉢底用棘付敷板を花器の花器底に載置することで各々単独に使うことも出来る。又、花器の丈が高い場合等においても、植木鉢の上端部を花器の上端部に被せて折り曲げ、折り曲げ部の裏側に支保用仕切壁を設けて換気用の空隙を形成したことで、組合せ、或いは各々単独に使うことができる。更に、鉢内の水位を確認する為の浮きを設けたことで、流線型等の花器の形状による設置不能なものを除いて水の掛け過ぎや水不足等を察知することができ、水の管理が容易になった。
【考案を実施する為の最良の形態】
【０００６】  請求項１に記載の花器の丈が低い場合等に、花器と、その内側に収納できる形状を備えて出し入れ自在な植木鉢を組合せた容器からなり、組合せて植木鉢として使用するか又は植木鉢と花器を分離して各々単独に使用することも可能である。加えて、花器の代わりにコーヒーカップ、湯呑み茶碗、急須、食器、鍋、小物入れ、置物等の水漏れしない容器と植木鉢を組合せることにより、よりバラエティに富んだ組合せが可能となる。植木鉢には、内側下部に排水用の鉢穴を開けた鉢底を設けると共に、鉢底の下部には水槽用の空隙を設ける為の脚を設けて花器底に載置する。又、植木鉢の外周壁には、花器の丈の高さや容器の形状に応じて円環状に突起又は凹凸等を設け、花器の内側周壁と植木鉢の外周壁との間に換気用の空隙を形成することで鉢底に溜まった水の蒸発と空気の換気が可能となる。又、花器内に収納した植木鉢が取り出し難い形状の場合は、容器の形状に応じて植木鉢の上部に取っ手を設けるか乃至は掴みやすい様に突起又は窪みを設けることで植木鉢の収納、取り出しが容易になる。又、植木鉢の鉢底を別個に切り離して脱着できるようにし、鉢底を一旦取外して花器底に載置することで生花等を挿すことができ、花器としても併用可能となる。
【０００７】  請求項２に記載の、請求項１に記載の花器の上部口が広い場合等における植木鉢において、鉢底を別個に切り離して脱着できるようにした鉢底用敷板を設けると共に片面に棘のある鉢底用棘付敷板を設け、更に植木鉢の内側下部に敷板載置用の台座を設けることで花器としても併用することが可能となる。鉢底用棘付敷板には排水用の鉢穴を設けると共に、片面に生花等の茎刺し用の棘を設ける。容器を植木鉢として使用する際は、鉢底用棘付敷板の棘のある面を下向きにし、その上に鉢底用敷板を重ね合せて二枚重ねの鉢底とし、植木鉢の内側下部の敷板載置用台座に載置することで植木鉢として使用する事が可能となる。又、容器を花器として使用する際は二つの敷板を分離後、鉢底用敷板の上に鉢底用棘付敷板の棘のある面を上にして二枚重ねとし、植木鉢の内側下部の敷板載置用台座、乃至は花器底に載置して後、生花の茎の先端部を鉢底用棘付敷板の棘に突き刺して根元が動かないようにすることにより、容器の上部口が大きくても安心して花を挿すことが可能となる。又、植木鉢と花器を各々単独で使用する際、鉢底用敷板は植木鉢の敷板載置用台座に載置して鉢底として使用し、鉢底用棘付敷板は花器の花器底に載置して生花の茎刺し用として使用する。
【０００８】  請求項３に記載の、請求項１又は請求項２に記載の外部用容器としての花器の丈が高い場合等において、植木鉢の上端部を花器の上端部に被さるように折り曲げ、折り曲げた上端部の裏側に間隔をおいて支保用仕切壁を設け、併せて換気口としての空隙を形成することで、植木鉢を花器の上端部に被せて載置することが可能となり、花器の丈が高い場合でも安心して使用することが可能となる。又、花器の丈や形状に鑑み、必要に応じて浮きを設置する場合は、上端部に穴を開けて浮きの頭部が上下運動できるようにすることで花器内の水位を確認することが可能となる。
【０００９】  請求項４に記載の、請求項１又は請求項２又は請求項３に記載の植木鉢において、灌水時の水のかけ過ぎ、水漏れ、水量過多に因る根腐れ等の懸念を払拭する為に、鉢内の水位を確認する為の浮きと、浮きの横方向の動きを制御する為の浮き制御用器具を設けると共に、浮きの上部には色分けした目盛りを設け、鉢内の水位の変化により目盛りが上下運動することで鉢内の水位を確認することが出来、灌水時の水の掛け過ぎや水位の低さによる水不足を確認することが可能となる。浮き制御用器具は、花器の内周壁と植木鉢の外周壁との間に収納出来る形状とし、浮きが上下運動するに可能な口径の輪を上下に離して二つ以上設けると共に、花器乃至は植木鉢の上端部に引っ掛け固定する為の鈎を設け、上下の輪と鈎を連結したものであり、浮きの横方向の動きを制御することが可能となる。
【００１０】  花器並びに植木鉢の形状は必ずしも同型ではない。花器の上部の口径が小さくて下部が大きい場合、逆に上部の口径が大きくて下部が小さい場合、又は上部下部とも同じ口径の場合、更に容器の丈が低い場合と高い場合等によって収納する植木鉢の形状は異なるが、何れも組合せ、取外しができる形状にする。
【００１１】  植木鉢並びに花器の材質としては、従来の合成樹脂やガラス、陶磁器等を用いると共に、鉢底用棘付敷板は従来の生け花用の剣山と同じ比重の大きい金属製のものを用いる。又、浮きの材質としては、比重が小さくて浮力の大きい合成樹脂や木や竹を用い、浮き制御用器具は加工しやすい金属又は合成樹脂を用いる。
【実施例１】
【００１２】  図１は本考案の第１実施例における二重槽容器からなる植木鉢の全体斜視図及び要部断面図である。図２は本考案の第１実施例における二重槽容器からなる植木鉢の平面図である。第１実施例における図１、図２において、１は花器、２は植木鉢、３は鉢底、４は排水用穴、５は脚、６は花器底、９は空隙用突起、１０は９の突起により形成された換気用空隙、１４は浮き、１５は浮き制御用器具である。
【実施例２】
【００１３】  図３は本考案の第２実施例における植木鉢として実施例の二重槽容器からなる植木鉢の全体斜視図及び要部断面図である。図４は本考案の第２実施例における花器として実施例の二重槽容器からなる植木鉢の全体斜視図及び要部断面図である。図５は本考案の第２実施例における植木鉢の鉢底用棘付敷板の表面の平面図である。図６は本考案の第２実施例における植木鉢の鉢底用棘付敷板の裏面の全体斜視図である。図７は本考案の第２実施例における植木鉢の鉢底用敷板の平面図である。図８は本考案の第２実施例における植木鉢の鉢底用敷板の全体斜視図である。第２実施例における図３、図４、図５、図６、図７、図８において、１は花器、２は植木鉢、４は排水用穴、５は脚、６は花器底、９は空隙用突起、１０は９の突起により形成された換気用空隙、１１は鉢底用棘付敷板、１２は鉢底用敷板、１３は敷板載置用台座、１４は浮き、１５は浮き制御用器具である。
【実施例３】
【００１４】  図９は本考案の第３実施例における植木鉢として実施例の二重槽容器からなる植木鉢の全体斜視図及び要部断面図である。図１０は本考案の第３実施例における植木鉢として実施例の二重槽容器からなる植木鉢の平面図及び要部断面図である。第３実施例における図９、図１０において、１は花器、２は植木鉢、４は排水用穴、５は脚、６は花器底、７は換気口、８は支保用仕切壁、９は空隙用突起、１０は９の突起により形成された換気用空隙、１１は鉢底用棘付敷板、１２は鉢底用敷板、１３は敷板載置用台座である。
【実施例４】
【００１５】  図１１は本考案の第４実施例における浮きの全体斜視図である。図１１において、１４は浮き、１５は浮き制御用器具である。
【図面の簡単な説明】
【００１６】
【図１】本考案の第１実施例における二重槽容器からなる植木鉢の全体斜視図及び要部断面図
【図２】本考案の第１実施例における二重槽容器からなる植木鉢の平面図
【図３】本考案の第２実施例における植木鉢として実施例の二重槽容器からなる植木鉢の全体斜視図及び要部断面図
【図４】本考案の第２実施例における花器として実施例の二重槽容器からなる植木鉢の全体斜視図及び要部断面図
【図５】本考案の第２実施例における植木鉢の鉢底用棘付敷板の表面の平面図
【図６】本考案の第２実施例における植木鉢の鉢底用棘付敷板の裏面の全体斜視図
【図７】本考案の第２実施例における植木鉢の鉢底用敷板の平面図
【図８】本考案の第２実施例における植木鉢の鉢底用敷板の全体斜視図
【図９】本考案の第３実施例における植木鉢として実施例の二重槽容器からなる植木鉢の全体斜視図及び要部断面図
【図１０】本考案の第３実施例における植木鉢として実施例の二重槽容器からなる植木鉢の平面図及び要部断面図
【図１１】本考案の第４実施例における浮き及び浮き制御用器具の全体斜視図
【符号の説明】
【００１７】  １  花器
２  植木鉢
３  鉢底
４  排水用穴
５  脚
６  花器底
７  換気口
８  支保用仕切壁
９  空隙用突起
１０  換気用空隙
１１  鉢底用棘付敷板
１２  鉢底用敷板
１３  敷板載置用台座
１４  浮き
１５  浮き制御用器具
【図１】
0003133730.tif 000003
【図２】
0003133730.tif 000004
【図３】
0003133730.tif 000005
【図４】
0003133730.tif 000006
【図５】
0003133730.tif 000007
【図６】
0003133730.tif 000008
【図７】
0003133730.tif 000009
【図８】
0003133730.tif 000010
【図９】
0003133730.tif 000011
【図１０】
0003133730.tif 000012
【図１１】
0003133730.tif 000013
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
花器とその内側に収納できるように形成された植木鉢の容器からなり、植木鉢の外周壁に円環状に突起を設け、植木鉢の内側下部には鉢穴の開いた鉢底と脚を設けていることを特徴とする二重槽容器からなる植木鉢。
【請求項２】
植木鉢の内側下部に、脱着可能な鉢穴の開いた鉢底用敷板と片面に棘のある鉢底用棘付敷板を設けると共に、敷板載置用の台座を設けていることを特徴とする請求項１に記載の二重槽容器からなる植木鉢。
【請求項３】
植木鉢の上端部を、花器の上端部に被せて折り曲げ、折り曲げ部の裏側に支保用仕切壁と併せて換気口を設けていることを特徴とする請求項１又は請求項２に記載の二重槽容器からなる植木鉢。
【請求項４】
植木鉢において、棒状の浮きと浮き制御用器具を設け、浮き制御用器具は浮きを収納する輪と引っ掛け用の鈎を設けて連結したものからなり、花器と植木鉢の間に収納出来る形状を有していることを特徴とする請求項１又は請求項２又は請求項３に記載の二重槽容器からなる植木鉢。